(57)【特許請求の範囲】
【請求項１】
ハウジングと、第１エアバッグと、二つの本体と、第２エアバッグとを備える折り畳み可能な端末であって、
前記ハウジングが、二つのケースと、二つの該ケースの間に接続される曲げ変形可能な折り曲げ部とを備え、
二つの前記本体が、それぞれ二つの前記ケースに固定され、
前記第１エアバッグが、前記折り曲げ部に設けられ、
前記第２エアバッグが、前記本体に設けられ、
前記第１エアバッグと前記第２エアバッグとが連通され、且つ両者の中に気体が充填され、前記折り畳み可能な端末が折り畳み状態である場合には、前記気体が前記第２エアバッグの中に位置し、前記折り畳み可能な端末が展開状態である場合には、前記気体が前記第２エアバッグの中から前記第１エアバッグの中に移動する折り畳み可能な端末。
【請求項２】
二つの固定領域と、二つの該固定領域の間に接続される折り曲げ領域とを備えるフレキシブルスクリーンをさらに備え、
二つの前記固定領域が、それぞれ二つの前記ケースに対向して設けられ、
前記折り曲げ領域が、前記折り曲げ部に対向して設けられ、
前記第１エアバッグが、前記折り曲げ部と前記折り曲げ領域との間に設けられ、
前記折り畳み可能な端末が展開状態である場合、前記第１エアバッグが前記折り曲げ領域の内側に支持される請求項１に記載の折り畳み可能な端末。
【請求項３】
二つの前記固定領域が、それぞれ二つの前記本体に固定され、
前記第２エアバッグが前記本体に設けられる請求項２に記載の折り畳み可能な端末。
【請求項４】
前記第１エアバッグが、第１バッグ壁を備え、
該第１バッグ壁の中間部が前記折り曲げ領域に固定して接続され、
前記気体が前記第１エアバッグの中に位置する場合、前記第１バッグ壁の前記中間部が前記折り曲げ領域に向けて弓形を呈するように盛り上がる請求項２に記載の折り畳み可能な端末。
【請求項５】
前記第１エアバッグが、第２バッグ壁をさらに備え、
前記第１バッグ壁が、前記第２バッグ壁と比べて、前記折り曲げ領域に接近し、
前記気体が前記第１エアバッグの中に位置する場合、前記第２バッグ壁の前記中間部が前記折り曲げ部に向けて弓形を呈するように盛り上がる請求項４に記載の折り畳み可能な端末。
【請求項６】
前記第２エアバッグが前記本体の内部、又は前記本体の側端面に設けられ、
前記第２エアバッグが前記本体の側端面に沿って延長する長尺状である請求項３に記載の折り畳み可能な端末。
【請求項７】
弾性シートをさらに備え、
前記本体の側端面が凹弧状であり、
前記第２エアバッグが、前記弾性シートと前記本体の側端面との間に位置し、
前記弾性シートが前記第２エアバッグの中の気体を前記第１エアバッグの中に押圧する請求項６に記載の折り畳み可能な端末。
【請求項８】
前記弾性シートが前記本体の側端面に沿って延長する長尺状であり、
前記弾性シートの横断面は、弓形であり、その幅方向の両端が前記本体に固定して接続され、
前記折り畳み可能な端末が折り畳み状態である場合には、前記弾性シートが前記本体の外側に向けて盛り上がり、前記折り畳み可能な端末が展開状態である場合には、前記弾性シートが前記本体の側端面に向けて弾性変形し窪みを形成して、前記第２エアバッグの中の気体を前記第１エアバッグの中に押圧する請求項７に記載の折り畳み可能な端末。
【請求項９】
前記第２エアバッグの外側のバッグ壁が、前記弾性シートにより形成され、
前記第２エアバッグの内側のバッグ壁が、前記本体の側端面により形成される請求項７に記載の折り畳み可能な端末。
【請求項１０】
前記第２エアバッグのバッグ壁が弾性を有することにより、前記第２エアバッグが、前記折り畳み可能な端末の展開状態において収縮状態に維持され、前記気体が前記第２エアバッグの中に位置する場合、前記第２エアバッグが弾性変形し、前記折り畳み可能な端末が展開状態である場合には、前記気体が前記第２エアバッグの弾性力で前記第１エアバッグの中に移動する請求項１に記載の折り畳み可能な端末。
【請求項１１】
前記第２エアバッグが二つである請求項１に記載の折り畳み可能な端末。
【請求項１２】
二つの前記第２エアバッグが、それぞれ二つの前記本体の内部、又は、それぞれ前記折り畳み可能な端末の両側に設けられる請求項１１に記載の折り畳み可能な端末。
【請求項１３】
折り畳み可能な端末であって、
二つのケースと、変形可能な折り曲げ部とを備え、
該折り曲げ部が、二つの前記ケースの間に接続されるハウジングと、
二つの前記ケースに対応して固定される二つの本体と、
二つの該本体の間に設けられる第１エアバッグと、
二つの前記本体内に対応して設けられ、前記第１エアバッグに連通される二つの第２エアバッグと、
前記第１エアバッグ及び前記第２エアバッグのいずれも気体が満たし、二つの固定領域と、折り曲げ領域とを備え、二つの前記固定領域が二つの前記本体に対応して固定され、前記折り曲げ領域が二つの前記固定領域の間に固定されるフレキシブルスクリーンとを備え、
前記折り畳み可能な端末が折り畳み状態である場合には、前記気体が前記第２エアバッグの中に位置し、前記折り畳み可能な端末が展開状態である場合には、前記気体が前記第２エアバッグの中から前記第１エアバッグの中に移動し、前記第１エアバッグが前記フレキシブルスクリーンの内側に支持される折り畳み可能な端末。
【請求項１４】
折り畳み可能な端末であって、
二つのケースと、曲げ変形可能な折り曲げ部と備え、
前記折り曲げ部が、二つの前記ケースの間に接続されるハウジングと、
二つの前記ケースに対応して固定される二つの本体と、
二つの前記本体の間に設けられる第１エアバッグと、
二つの前記本体における一方の前記本体の両側端面にそれぞれ設けられ、前記第１エアバッグに連通される二つの第２エアバッグと、
前記第１エアバッグ及び前記第２エアバッグのいずれも気体が満たし、二つの固定領域と、折り曲げ領域とを備え、二つの前記固定領域が二つの前記本体に対応して固定され、前記折り曲げ領域が二つの前記固定領域の間に固定されるフレキシブルスクリーンとを備え、
前記折り畳み可能な端末が折り畳み状態である場合には、前記気体が前記第２エアバッグの中に位置し、前記折り畳み可能な端末が展開状態である場合には、前記気体が前記第２エアバッグの中から前記第１エアバッグの中に移動し、前記第１エアバッグが前記フレキシブルスクリーンの内側に支持される折り畳み可能な端末。
【請求項１５】
弾性シートをさらに備え、
前記第２のエアバッグが、前記弾性シートと前記本体の側端面との間に位置し、
前記折り畳み可能な端末が折り畳み状態である場合には、前記弾性シートが前記本体の外側に向けて盛り上がり、前記折り畳み可能な端末が展開状態である場合には、前記弾性シートが前記本体の側端面に向けて弾性変形し窪みを形成する請求項１４に記載の折り畳み可能な端末。
【発明の詳細な説明】
【優先権情報】
【０００１】
本出願は、２０１５年１２月２９日に中国国家知識産権局に提出された特許出願番号がＣＮ２０１５１１０２６０５３.１であり、発明の名称が「フレキシブルスクリーンを有する折り畳み可能な端末」である中国特許出願の優先権を主張するものであり、当該中国特許出願の内容は参照により本出願に組み入れられる。
【技術分野】
【０００２】
本発明は、電子製品に関し、特に、折り畳み可能な端末に関する。
【背景技術】
【０００３】
フレキシブルスクリーンは、将来の携帯電子製品のトレンドになり、従来技術におけるフレキシブルスクリーンは、いずれも端末本体に固定されるものである。繰り返し折り曲げて使う端末製品において、一般的には、端末製品を二つの部分に分けて一回折り畳み、フレキシブルスクリーンが折り畳んだ端末製品の内側にあるように設計され、端末製品が展開された後、フレキシブルスクリーンが見える。
【０００４】
端末製品が展開された後、フレキシブルスクリーンが平坦状に展開され、その中間位置は、収納スペースが存在するため、宙に浮いてしまい、端末製品の他の内部構造部材に接続せず、支持されない。端末製品は、展開状態において、フレキシブルスクリーンの中間位置の押圧に対する利用者の体験がよくないうえに、従来技術における折り畳み可能な端末の折り畳み機構の構造が複雑になる。
【発明の概要】
【発明が解決しようとする課題】
【０００５】
本発明が解決しようとする技術課題は、展開状態において、中間位置が支持され、利用者の押圧体験を向上させる折り畳み可能な端末を提供することである。
【課題を解決するための手段】
【０００６】
上記技術課題を解決するために、本発明の一実施形態は、ハウジングと、第１エアバッグと、二つの本体と、第２エアバッグとを備える折り畳み可能な端末を提供する。前記ハウジングが、二つのケースと、二つの該ケースの間に接続される曲げ変形可能な折り曲げ部とを備え、二つの前記本体が、それぞれ二つの前記ケースに固定され、前記第１エアバッグが、前記折り曲げ部に設けられ、前記第２エアバッグが、前記本体に設けられ、前記第１エアバッグと前記第２エアバッグとが連通され、且つ両者の中に気体が充填され、前記折り畳み可能な端末が折り畳み状態である場合には、前記気体が前記第２エアバッグの中に位置し、前記折り畳み可能な端末が展開状態である場合には、前記気体が前記第２エアバッグの中から前記第１エアバッグの中に移動する。
【０００７】
本発明の参考例としての発明は、ハウジングと、第１エアバッグと、フレキシブルスクリーンとを備える更に別の折り畳み可能な端末を提供する。前記ハウジングが、二つのケースと、二つの該ケースの間に接続される曲げ変形可能な折り曲げ部とを備え、前記第１エアバッグが、前記折り曲げ部と前記フレキシブルスクリーンとの間に設けられ、前記折り畳み可能な端末が展開状態である場合には、前記気体が前記第１エアバッグの中に位置し、前記第１エアバッグが前記フレキシブルスクリーンの内側に支持され、前記折り畳み可能な端末が折り畳み状態である場合には、前記第１エアバッグが収縮状態になるように、前記気体が前記第１エアバッグの中から移出される。
【図面の簡単な説明】
【０００８】
【図１】本発明の第１の実施形態において提供されるフレキシブルスクリーンを有する折り畳み可能な端末の折り畳み状態の立体構造概略図である。
【図２】図１のフレキシブルスクリーンを有する折り畳み可能な端末の折り畳み状態の断面図である。
【図３】図１のフレキシブルスクリーンを有する折り畳み可能な端末の展開状態の立体構造概略図である。
【図４】図１のフレキシブルスクリーンを有する折り畳み可能な端末の展開状態の断面図である。
【図５】本発明の第２の実施形態において提供されるフレキシブルスクリーンを有する折り畳み可能な端末の折り畳み状態の立体構造概略図である。
【図６】図５におけるＡ−Ａ断面図である。
【図７】図６の折り畳み可能な端末の展開状態の断面図である。
【発明を実施するための形態】
【０００９】
以下、本発明の実施形態における図面に合わせて、本発明の実施形態における技術案について明確かつ完全に説明する。明らかに、説明される実施形態は、本発明の一部の実施例に過ぎず、すべての実施例ではない。本発明における実施例に基づいて、当業者が創造的労働をしないことを前提に取得するすべての他の実施例は、いずれも本発明の保護範囲に属する。
【００１０】
図１から図４に示されるように、本発明における第１の実施形態において提供されるフレキシブルスクリーンを有する折り畳み可能な端末である。該端末は、任意の端末機器であってもよく、例えば、タブレット、携帯、電子書籍リーダー、リモコン、パソコン（Ｐｅｒｓｏｎａｌ  Ｃｏｍｐｕｔｅｒ，ＰＣ）、ラップトップ、車載機器、インターネットテレビ、ウェアラブルデバイスなどであってもよい。
【００１１】
図１から図４に示されるように、フレキシブルスクリーンを有する折り畳み可能な端末は、ハウジング１と、二つの本体２と、フレキシブルスクリーン３と、第１エアバッグ４と、第２エアバッグ５とを備える。
二つの本体２は、いずれもハウジング１に固定され、第１エアバッグ４は、二つの本体２の間に配置される。第２エアバッグ５は、本体２に設けられ、フレキシブルスクリーン３は、二つの本体２の内部表面に固定される。二つの本体２が折り畳み、又は展開する場合、フレキシブルスクリーン３は、それにつれて折り畳み、又は展開する。
【００１２】
ハウジング１は、フレキシブルスクリーンを有する折り畳み可能な端末の外側表面を形成する。ハウジング１は、二つのケース１２と、曲げ変形可能な折り曲げ部１１とを備える。
折り曲げ部１１は、二つのケース１２の間に接続される。二つの本体２は、それぞれ二つのケース１２に固定される。接続構造の強度を向上させるために、二つのケース１２と折り曲げ部１１とが一体成形されてもよい。ハウジング１は、シリコーンゲル、皮革、布、ポリカーボネートシートなどの折り曲げ可能な材料を用いて構成されてもよい。好ましくは、ハウジング１自体が自然な状態で平板状のストレート構造である。すなわち、ハウジング１が展開状態で平板状のストレート構造とであり、その二つのケース１２が展開すると、１８０度になる。ハウジング１は、外力の作用で折り曲げ、二つのケース１２の間の夾角が０度になるようにし、したがって、折り畳み状態に転化することができる。
【００１３】
本実施形態において、ハウジング１の全体は、すべて曲げ変形可能な材料から構成される。ここでは、他の実施形態において、折り曲げ部１１だけが曲げ変形可能な材料から構成され、二つのケース１２は、他の材料から構成され、折り曲げ部１１の両端は、それぞれ二つのケース１２に固定して接続される。
【００１４】
二つの本体２は、それぞれ二つのケース１２に固定される。二つの本体２の内部には、いずれも内蔵回路基板、電池などの部材が設けられる。当然のことながら、他の実施形態において、電池や、回路基板が一方の本体２の内部だけに設けられてもよく、該本体２と他方の本体２とが電気接続されて、他方の本体２の給電及び信号伝達を実現する。二つの本体２の間にフレキシブル回路基板（図示せず）が接続され、フレキシブル回路基板を利用して二つの本体２の間の電気接続を実現する。
【００１５】
フレキシブル回路基板は、折り曲げ部１１に固定され、折り曲げ部１１に沿って折り曲げ、及び展開することができ、フレキシブル回路基板の配置構成を便利にし、フレキシブル回路基板と他の内部構造部材とが干渉するのを回避することができる。
【００１６】
さらに具体的には、フレキシブル回路基板は、折り曲げ部１１の内部に埋め込まれてもよく、その両端は、二つの本体２のいずれにも電気コネクタなどを介して脱着可能に固定して接続されることができる。フレキシブル回路基板は、折り曲げ部１１の内部に埋め込まれて、占有スペースを減少し、端末の部品数を減少し、フレキシブル回路基板と他の内部構造部材とが干渉するのを効果的に回避することができる。ここでは、他の実施形態において、フレキシブル回路基板は、折り曲げ部１１の内部表面に貼り合わせて固定されてもよく、フレキシブル回路基板は、フレキシブルスクリーン３の内部表面に貼り合わせて固定されてもよい。
【００１７】
フレキシブルスクリーン３は、フレキシブルスクリーンを有する折り畳み可能な端末の内部表面に配置される。フレキシブルスクリーン３は、二つの固定領域３２と、折り曲げ領域３１とを備える。
二つの固定領域３２は、それぞれ二つの本体２に固定される。
折り曲げ領域３１は、二つの固定領域３２の間に接続され、三者が一体成形し、折り曲げ領域３１と固定領域３２とがシームレスに接続されて、フレキシブルスクリーン３の整合性を保証し、表示の視覚効果を保証する。
【００１８】
フレキシブルスクリーン３は、フレキシブルディスプレイスクリーンと、ディスプレイスクリーンに積層して設けられるタッチ層とを備え、ディスプレイスクリーンを利用して情報表示を行うことができ、タッチ層を利用して端末に対するタッチコントロールを実現することができる。
【００１９】
第１エアバッグ４は、折り曲げ部１１と折り曲げ領域３１との間に設けられる。
第２エアバッグ５は、本体２に設けられ、第１エアバッグ４と第２エアバッグ５とが連通され、且つ両者の中に気体が充填される。気体が、第１エアバッグと第２エアバッグとの中に密閉される密閉気体であってもよい。
【００２０】
折り畳み可能な端末が折り畳み状態である場合、密閉気体は、第２エアバッグ５の中に位置する。この場合、第２エアバッグ５は膨らんだ状態になり、第１エアバッグ４は収縮状態になり、折り曲げ領域３１と折り曲げ部との間に押圧される。したがって、折り曲げ部に湾曲のスペースを提供し、フレキシブルスクリーンの折り畳みを利用して湾曲することができる。
【００２１】
折り畳み可能な端末が展開状態である場合、密閉気体が、第２エアバッグ５の中から第１エアバッグ４の中に移動する。この場合、第２エアバッグ５は収縮状態になり、第１エアバッグ４は膨らんだ状態になり、第１エアバッグ４は、折り曲げ領域３１の内側に支持され、折り曲げ領域３１が宙に浮いてしまい、押圧の体験がよくないという技術課題を解決する。
【００２２】
折り畳み可能な端末が展開された後、フレキシブルスクリーン３全体が平坦状となり、第１エアバッグ４によりフレキシブルスクリーン３の折り曲げ領域３１を支持することができる。したがって、フレキシブルスクリーン３を開けた後、中間部分、即ち折り曲げ領域３１が宙に浮いてしまい、押圧の体験がよくないという技術課題を解決する。フレキシブルスクリーンを有する折り畳み可能な端末が折り畳んだ後、折り曲げ領域３１の押圧により、第１エアバッグ４の中の密閉気体が第２エアバッグ５の中に入り、第１エアバッグ４は、フレキシブルスクリーン３の折り曲げ領域３１が湾曲するように、スペースを保留し、押圧による折り曲げ領域３１の損壊を回避する。
【００２３】
本実施形態において、第１エアバッグ４は、第１バッグ壁４１と、第２バッグ壁４２とを備える。
第１バッグ壁４１は、第２バッグ壁４２と比べて、折り曲げ領域３１に接近する。密閉気体が第１エアバッグ４の中に位置する場合、第１バッグ壁４１の中間部は、折り曲げ領域３１に向けて弓形を呈するように盛り上がり、第２バッグ壁４２の中間部は、折り曲げ部に向けて弓形を呈するように盛り上がる。第１エアバッグ４が膨らむ場合、第１バッグ壁４１と第２バッグ壁４２とが、対向して設けられる弓形になる。したがって、両者が互いに接近、又は離反することに有利であり、密閉気体の排出と吸入とに有利であり、最も少ない密閉気体を利用することにより折り曲げ領域３１に対する支持を実現することができる。したがって、第１エアバッグ４と第２エアバッグ５との体積を減少し、折り畳み可能な端末の軽量薄型化に有利である。
【００２４】
好ましくは、第１バッグ壁４１の中間部は、折り曲げ領域３１に固定して接続され、第１バッグ壁４１は、湾曲して移動するように折り曲げ領域３１を連動させることができ、したがって、フレキシブルスクリーンの折り畳みと展開に有利であり、折り畳む際に折り曲げ領域３１が非正常に湾曲することにより、二つの本体に押圧されて損壊することを回避する。
【００２５】
本実施形態において、第２エアバッグ５は、本体の内部に設けられ、第２エアバッグ５のバッグ壁は、弾性材料から構成される。密閉気体が第２エアバッグ５の中に位置する場合、第２エアバッグ５は、弾性変形し、折り畳み可能な端末が展開状態である場合、密閉気体が、第２エアバッグ５の弾性力で第１エアバッグ４の中に移動する。第２エアバッグ５自体の弾性を利用して、折り畳み可能な端末が展開する場合、第２エアバッグ５の中の密閉気体がそのバッグ壁の弾性による作用力によって排出され、密閉気体が第１エアバッグ４の中に入り、フレキシブルスクリーンの折り曲げ領域３１に支持を提供する。
【００２６】
好ましくは、第２エアバッグ５は、二つあり、それぞれ二つの本体２の中に設けられる。二つの第２エアバッグ５を利用して、折り畳み状態において、密閉気体を二つの部分に分けることができ、それぞれ二つの第２エアバッグ５の中に位置し、したがって、第２エアバッグ５が各本体２の中に占めるスペースを減少する。
【００２７】
本発明の第２の実施形態において提供されるフレキシブルスクリーンを有する折り畳み可能な端末において、第１エアバッグ及びハウジングなどの構成要素は、いずれも上記第１の実施形態と同様であり、ここでは詳しく説明せず、以下、第１の実施形態と異なる部分について詳しく説明する。
【００２８】
図５から図７に示されるように、第２の実施形態において、第２エアバッグ２０５は、本体２０２の側端面に設けられ、且つ本体２０２の側端面に沿って延長する長尺状である。第２エアバッグ２０５を本体２０２の外側に設けることにより、利用者は、折り畳み可能な端末を展開する場合、自ら第２エアバッグ２０５を押圧することができ、第２エアバッグ２０５の中の密閉気体を第１エアバッグの中に押圧することを便利にする。第２エアバッグ２０５は、本体２０２の側端面に位置し、利用者が第２エアバッグ２０５を押圧するのに便利である。
【００２９】
本実施形態において、利用者が自ら第２エアバッグ２０５を押圧することができるため、第２エアバッグ２０５自体は、弾性を有していてもよいし、弾性を有していなくてもよい。当然のことながら、好ましくは、第１の実施形態と同様に、第２エアバッグ２０５のバッグ壁が弾性を有することにより、第２エアバッグ２０５は、折り畳み可能な端末の展開状態において、収縮状態に維持され、展開状態において、利用者が正常な操作で折り曲げ領域を押圧する際に、第１エアバッグの中の密閉気体が第２エアバッグ２０５の中に逆流することを回避する。
【００３０】
第２エアバッグ２０５は、二つであり、同一本体２０２の対向する二つの側端面に対称的に設けられることにより、本体２０２の両側の対称性を保証するとともに、さらに、利用者が第２エアバッグ２０５を押圧することに有利である。
【００３１】
好ましくは、本体２０２の側端面は、凹弧状であり、第２エアバッグ２０５の収納を便利にする。
【００３２】
利用者が第２エアバッグ２０５を押圧することを便利にするため、折り畳み可能な端末は、弾性シート２０６をさらに備える。
弾性シート２０６は、本体２０２の側端面に沿って延長する長尺状である。
第２エアバッグ２０５は、弾性シート２０６と本体２０２の側端面との間に位置する。弾性シート２０６の横断面は、弓形であり、その幅方向の両端が本体２０２に固定して接続される。図５及び図６に示されるように、折り畳み可能な端末が折り畳み状態である場合、弾性シート２０６は、本体２０２の外側に向けて盛り上がる。図７に示されるように、折り畳み可能な端末が展開状態である場合、弾性シート２０６は、本体２０２の側端面に向けて弾性変形し、窪みを形成して、第２エアバッグ２０５の中の密閉気体を第１エアバッグの中に押圧する。
【００３３】
弾性シート２０６は、ステンレスシート、ベリリウム銅シート又は黄銅シートである。弾性シート２０６は、自然な状態において、弓形状であり、自身の形状の特性及び自身の内部応力が原因で、その中間位置にある突出した円弧形の部分が外力の影響を受ける場合、中間の円弧形部分は他面に跳ねて、他の方向に突出する。
【００３４】
利用者が弾性シート２０６を押圧する場合、弾性シート２０６は、外側に盛り上がって変形した後、内側に盛り上がり、第２エアバッグ２０５を押圧して、第２エアバッグ２０５の中から密閉気体を押し出す。そして、弾性シート２０６は、内側に盛り上がる状態で固定されることにより、第２エアバッグ２０５が収縮状態を維持することができる。折り畳み可能な端末が折り畳む場合、第１エアバッグは、折り曲げ領域の押圧により、密閉気体を第２エアバッグ２０５の中に押し出し、第２エアバッグ２０５は膨らみ、弾性シート２０６を外側に盛り上がらせる。弾性シート２０６の弾力の作用により、弾性シート２０６は、外側に向ける盛り上がった形状になるように迅速に変形することができ、したがって、第２エアバッグ２０５を迅速に膨らませることができ、折り畳み可能な端末の折り畳みに有利である。
【００３５】
第２の実施形態において、第２エアバッグ２０５と、弾性シート２０６とが二つの部材であり、第２エアバッグ２０５の外側壁と、弾性シート２０６の内表面とが一体的に固定して接続される。当然のことながら、他の実施形態において、第２エアバッグ２０５と、弾性シート２０６とが単一の部材に結合されてもよい。即ち第２エアバッグ２０５の外側のバッグ壁が弾性シート２０６により形成され、第２エアバッグ２０５の内側のバッグ壁が本体２０２の側端面により形成されてもよい。第２エアバッグ２０５は、弾性シート２０６と本体２０２との間に形成され、したがって、部品点数を減少することができ、加工装着を便利にする。
【００３６】
上記実施形態は、該技術案の保護範囲に対する限定を構成するものではない。上記実施形態の要旨及び原則の範囲内に行う任意の修正、類似品による置換及び改善などは、いずれも該技術案の保護範囲内に含まれるべきである。
【図１】
0006556953.tif 000002
【図２】
0006556953.tif 000003
【図３】
0006556953.tif 000004
【図４】
0006556953.tif 000005
【図５】
0006556953.tif 000006
【図６】
0006556953.tif 000007
【図７】
0006556953.tif 000008